(57)【要約】【課題】レールの揚重作業中に、昇降路内の部材と衝突するのを防止することができるとともに、揚重作業時間を短縮できる等のエレベータのレール積上治具を得る。【解決手段】この発明に係るエレベータのレール積上治具４は、昇降路に固定された第１のレールに第２のレールを連結するために、第１のレール上に第２のレールを積み上げるのに用いられるエレベータのレール積上治具４であって、第２のレールを保持する保持体９と、この保持体９に接続され、第１のレールのガイド部に係合し、第１のレールに沿って第２のレールが上下移動するのを案内する係合部１７，１８を有する案内体１６とを備えている。【選択図】図３
2010070296.tif 000002
【特許請求の範囲】
【請求項１】
昇降路に固定された第１のレールに第２のレールを連結するために、第１のレール上に第２のレールを積み上げるのに用いられるエレベータのレール積上治具であって、
前記第２のレールを保持する保持体と、この保持体に接続され、前記第１のレールのガイド部に係合し、第１のレールに沿って前記第２のレールが上下移動するのを案内する係合部を有する案内体とを備えたことを特徴とするエレベータのレール積上治具。
【請求項２】
前記案内体は、前記ガイド部の天面に吸着する永久磁石を備えていることを特徴とする請求項１に記載のエレベータのレール積上治具。
【請求項３】
前記第２のレールが上昇して移動する進路上には、第２のレールの上昇に伴い、先端部が当接しつつ、前記係合部を前記第１のレールから引き離すテーパ形状の引離部材が設けられていることを特徴とする請求項１または２に記載のエレベータのレール積上治具。
【請求項４】
前記保持体は、上端面が、前記第２のレールの上端部に設けられた目板の下端面に係止することを特徴とする請求項１〜３の何れか１項に記載のエレベータのレール積上治具。
【請求項５】
前記係合部は、離間して一対配置されていることを特徴とする請求項１〜４の何れか１項に記載のエレベータのレール積上治具。
【発明の詳細な説明】
【技術分野】
【０００１】
この発明は、昇降路に固定されたレール上に別のレールを積み上げるのに用いられるエレベータのレール積上治具に関するものである。
【背景技術】
【０００２】
従来、どの高さの作業足場からでも挟持金具を取り外しができるようにするために、吊り上げ用の吊孔を有する吊板を突設した挟持金具を、締結具を用いてＴ字形のエレベータ用のレールの長手方向に沿った所望の位置に締付け固定するエレベータ用のレール吊り上げ装置が知られている（例えば、特許文献１参照）。
【０００３】
【特許文献１】特開平６−２１９６６５号公報
【発明の開示】
【発明が解決しようとする課題】
【０００４】
しかしながら、このものの場合、レールの揚重作業の途中に横揺れで昇降路内の部材と衝突したり、衝突しそうになった場合に、レールの揚重を即座に停止できるように、レール監視用照明を昇降路の全高に渡って設置したり、監視役を配置しなければならないという問題点があった。
また、レールが昇降路内の部材と衝突するのを避けるために、比較的スペースのある奥壁面側でレールを揚重した場合には、その後所定の位置まで移動させなければならず、レールの揚重作業に時間を要してしまうという問題点もあった。
【０００５】
この発明は、上記のような問題点を解決することを課題とするものであって、レールの揚重作業中に、昇降路内の部材と衝突するのを防止することができるとともに、揚重作業時間を短縮できる等のエレベータのレール積上治具を得ることを目的とする。
【課題を解決するための手段】
【０００６】
この発明に係るエレベータのレール積上治具は、昇降路に固定された第１のレールに第２のレールを連結するために、第１のレール上に第２のレールを積み上げるのに用いられるエレベータのレール積上治具であって、前記第２のレールを保持する保持体と、この保持体に接続され、前記第１のレールのガイド部に係合し、第１のレールに沿って前記第２のレールが上下移動するのを案内する係合部を有する案内体とを備えている。
【発明の効果】
【０００７】
この発明によるエレベータのレール積上治具によれば、第２のレールは、昇降路に固定された第１のレールに沿って案内されて上昇するので、揚重中の第２のレールの横揺れや、回転が無くなり、第２のレールが昇降路内の他の部材と衝突、引っ掛かることがなくなり、また揚重作業時間が短縮される。
【発明を実施するための最良の形態】
【０００８】
以下、この発明の各実施の形態について説明するが、同一または相当の部材、部位については同一符号を付して説明する。
実施の形態１．
図１はこの発明の実施の形態１のエレベータのレール積上治具（以下、レール積上治具と略称する）４の使用態様を示す図、図２は図１の昇降路平断面図である。
図１において、昇降路１の天井には、揚重装置２が取り付けられている。この揚重装置２からは、先端部にフック２４が取り付けられたワイヤロープ３が吊り下げられている。フック２４にはレール積上治具４が係止されている。
昇降路１にはブラケット２３を介して、先端部に目板２０Ａが固定された、断面Ｔ字形状の第１のレール５が固定されている。
断面Ｔ字形状の第２のレール６は、レール積上治具４が第２のレール６の先端部に固定された目板２０Ｂの下端面に係止して、吊り下げられている。
レール積上治具４は、第１のレール５に沿って上下移動する。
【０００９】
図３は図１のレール積上治具４の全体斜視図である。
このレール積上治具４は、第２のレール６を保持する保持体９と、この保持体９に蝶番１４を有する繋ぎ部材１５を介して接続され、第１のレール５に沿って第２のレール６が上下移動するのを案内する案内体１６とを備えている。
保持体９は、フック２４が係止される被係止部材１０と、この被係止部材１０を挟持したベース１３とを有している。ベース１３の開閉扉１２は、蝶番１１を介して回動可能であり、この開閉扉１２を通じて第２のレール６は出し入れされる。
第２のレール６は、図４に示すように、目板２０Ｂの下端面がベース１３の上端面１３ａに当接して、レール積上治具４に保持されている。
案内体１６は、コ字形状で離間した一対の第１の係合部１７及び第２の係合部１８と、この第１の係合部１７と第２の係合部１８との間に設けられた永久磁石１９とを備えている。
【００１０】
次に、上記構成のレール積上治具４を用いて、固定された第１のレール５に第２のレール６を積み上げる手順について説明する。
先ず、レール積上治具４の開閉扉１２を第１の蝶番１１を中心に回動して開き、第２のレール６をベース１３内に入れる。この後、開閉扉１２を閉じ、ベース１３の孔１３ｂにボルト２５を螺着し、第２のレール６がベース１３内での横方向の移動を規制する。
また、案内体１６の第１の係合部１７及び第２の係合部１８を既に昇降路１に固定されている第１のレール５のガイド部５ｂに係合する。このとき、ガイド部５ｂの天面に永久磁石１９に吸着する。
次に、ワイヤロープ３の先端部に取り付けたフック２４を被係止部材１０に孔１０ａに係止する。
この後、揚重装置２を駆動してワイヤロープ３を巻き上げ、レール積上治具４を第１のレール５に沿って上昇させる。
レール積上治具４は、上昇途中、ベース１３の上端面１３ａが第２のレール６の目板２０Ｂの下端面に当接し、その後はレール積上治具４の上昇とともにレール積上治具４に係止した第２のレール６は揚重される。
この第２のレール６が揚重されるときには、案内体１６の第１の係合部１７及び第２の係合部１８が第１のレール５のガイド部５ｂに係合しているので、第２のレール６は、ガイド部５ｂに案内されながら、揚重する。
【００１１】
図５に示した第２のレール６は、引き続き揚重されると、第２のレール６の目板２０Ｂが移動作業床７の下面縁部に形成されたテーパ形状の引離部材２６に当接する。引き続き、第２のレール６が揚重されると、目板２０Ｂは引離部材２６の表面に沿って移動する。  即ち、目板２０Ｂ、レール積上治具４及び第２のレール６は、第１のレール５から離れる方向に移動し、図６に示すように、レール積上治具４は、第１のレール５から離れる。
この結果、揚重される第２のレール６は、自由懸架状態になる。
この後、移動作業床７上の作業者２７は、ワイヤロープ３を掴み、第２のレール６を障害物の無い位置に動かし、引き続き揚重する。
最後に、第２のレール６の下端部を第１のレール５の目板２０Ａに固定し、また第２のレール６をブラケット２３を介して昇降路１に固定することで、第２のレール６を第１のレール５に積み上げ、固定する作業は終了する。
【００１２】
以上説明したように、この実施の形態のレール積上治具４によれば、第２のレール６を保持する保持体９と、この保持体９に接続され、昇降路１に固定された第１のレール５のガイド部５ｂに係合し、第１のレール５に沿って第２のレール６が上下移動するのを案内する係合部１７，１８を有する案内体１６とを備えたので、次のような効果がある。
イ．第２のレール６は、第１のレール５に沿って案内されて上昇するので、揚重中の第２のレール６の横揺れや、回転が無くなり、第２のレール６が昇降路１内の部材と衝突、引っ掛かることがなくなり、第２のレール６の揚重作業中に、第２のレール６、昇降路１内の機器、揚重装置２等の破損を防止することができる。また、衝突、引っ掛かりを監視する必要がなくなり、作業人員の削減が可能となる。
ロ．固定された第１のレール５に沿って第２のレール６が移動するので、揚重装置２のワイヤロープ３の横揺れが無くなり、横揺れによるワイヤロープ３の引っ掛かりを防止することができる。また、第２のレール６の揚重速度を上げることで作業時間を短縮することができる。また、第２のレール６の吊点Ａを第１のレール５のほぼ直上に配置することができ、第２のレール６の揚重後の横移動距離は小さくて済み、第２のレール６の揚重作業時間は短縮される。
【００１３】
また、案内体１６は、第１のレール５のガイド部５ｂの天面に吸着する永久磁石１９を備えているので、第２のレール６は、固定された第１のレール５から離れることなく確実に案内される。また、永久磁石１９の吸着力に逆らった力を作用させることで簡単に第２のレール６を第１のレール５から引き離すことができる。
【００１４】
また、第２のレール６が上昇して移動する進路上である移動作業床７の下面端部には、第２のレール６の上昇に伴い、先端部が当接しつつ、係合部１７，１８を第１のレール５から引き離すテーパ形状の引離部材２６が設けられているので、引き離し位置に作業者２７を配置する必要はなく、作業人員を削減することができる。
【００１５】
また、保持体９のベース１３の上端面１３ａに第２のレール６の目板２０Ｂの下端面を係止するだけで、第２のレール６は、レール積上治具４に簡単に保持される。
また、レール積上治具４を下降することで、第２のレール６の保持は、自動的に解除される。
また、第２のレール６の保持が解除された後も、レール積上治具４は、第２のレール６を囲っており、揚重装置２の駆動によりワイヤロープ３を介してレール積上治具４を第２のレール６に沿って下降させ、第２のレール６の下側から簡単に取り外すことができる。
【００１６】
また、レール積上治具４は、離間した、第１の係合部１７及び第２の係合部１８の２点で案内されており、第２のレール６は円滑に案内される。
【００１７】
なお、上記実施の形態では、移動作業床７の下面端部にテーパ形状の引離部材２６を設けたが、この引離部材２６は、第２のレール６が上昇して移動する進路上に設ければよく、例えば第１のレール５に設けてもよい。
また、保持体９のベース１３の上端面１３ａに第２のレール６の目板２０Ｂの下端面を係止したが、第２のレール６に、目板２０Ｂの代わりにベース１３の上端面１３ａに係止するボルト等の突起物を設けるようにしてもよい。
【図面の簡単な説明】
【００１８】
【図１】この発明の実施の形態１のエレベータのレール積上治具の使用態様を示す図である。
【図２】図１の昇降路平断面図である。
【図３】図１のエレベータのレール積上治具の全体斜視図である。
【図４】第２のレールがエレベータのレール積上治具に係止されたときの部分斜視図である。
【図５】図１のエレベータのレール積上治具の一使用態様を示す側面図である。
【図６】図１のエレベータのレール積上治具の別の使用態様を示す側面図である。
【符号の説明】
【００１９】
１  昇降路、４  レール積上治具、５  第１のレール、５ｂ  ガイド部、６  第２のレール、６ｂ  ガイド部、９  保持体、１３  ベース、１３ａ  上端面、１６  案内体、１７  第１の係合部、１８  第２の係合部、１９  永久磁石、２０Ａ，２０Ｂ  目板、２６  引離部材。
【図１】
2010070296.tif 000003
【図２】
2010070296.tif 000004
【図３】
2010070296.tif 000005
【図４】
2010070296.tif 000006
【図５】
2010070296.tif 000007
【図６】
2010070296.tif 000008